(57)【特許請求の範囲】
【請求項１】
電気光学物質を挟持する一対の基板と、
前記一対の基板のうち入射光が出射される側に配置された一方の基板の前記入射光が出射される側の面に設けられた防塵用基板と、
前記一方の基板の前記電気光学物質に対向する面上に表示領域を取り囲むように設けられた反射防止膜と、
前記防塵用基板の前記一方の基板に対向する面上に前記表示領域を取り囲むように設けられた第１遮光膜と、
前記一方の基板と前記電気光学物質との間に設けられた配線と、を備え、
前記反射防止膜の前記表示領域側の縁は、前記第１遮光膜の前記表示領域側の縁よりも前記表示領域に近く、
前記反射防止膜は、前記一方の基板と前記配線との間に設けられ、前記反射防止膜の前記一方の基板に対向する側の面と、前記第１遮光膜の前記防塵用基板に対向する側の面とは、反射率が同じである
ことを特徴とする電気光学装置。
【請求項２】
前記一方の基板と前記電気光学物質との間に設けられたスイッチング素子と、を備え、
前記反射防止膜は、前記一方の基板と前記スイッチング素子との間に設けられていることを特徴とする請求項１に記載の電気光学装置。
【請求項３】
前記反射防止膜と前記第１遮光膜とは、同じ材料からなることを特徴とする請求項１または２に記載の電気光学装置。
【請求項４】
前記防塵用基板の前記入射光が出射される側の面に対向するように配置され、前記表示領域に対応する開口部が設けられた保持部材を備え、
前記保持部材の前記入射光が出射される側の面は、前記反射防止膜の前記一方の基板に対向する側の面及び前記第１遮光膜の前記防塵用基板に対向する側の面と反射率が同じである
ことを特徴とする請求項１乃至３の何れか一項に記載の電気光学装置。
【請求項５】
請求項１から４のいずれか一項に記載の電気光学装置を備えることを特徴とする電子機器。
【発明の詳細な説明】
【技術分野】
【０００１】
本発明は、例えば液晶装置等の電気光学装置、及び該電気光学装置を備えた、例えば液晶プロジェクター等の電子機器の技術分野に関する。
【背景技術】
【０００２】
この種の電気光学装置の一例である液晶パネルを、液晶プロジェクターにおけるライトバルブとして用いる場合、ライトバルブの表面にごみや埃等（以下、適宜「粉塵」と称する）が付着すると、映写幕上にその粉塵の像もまた投影されてしまうため、表示画像の品質が低下するおそれがある。このため、液晶パネルを構成する基板の外表面に防塵用の透明基板が設けられる場合がある（例えば特許文献１及び２参照）。
【０００３】
例えば特許文献１には、対向基板や防塵用の透明基板（第３透明基板）における表示領域の周辺に遮光膜を設けることで、電気光学装置の縁付近の遮光性能を高める技術が開示されている。例えば特許文献２には、対向基板の外周部に光透過領域（有効表示領域）を規定する額縁としての遮光層が形成された電気光学装置が開示されている。
【先行技術文献】
【特許文献】
【０００４】
【特許文献１】特開２００３−３１５７７３号公報
【特許文献２】特開平１１−２９５６８３号公報
【発明の概要】
【発明が解決しようとする課題】
【０００５】
前述のように液晶パネルを液晶プロジェクターにおけるライトバルブとして用いる場合、液晶パネルから表示光として出射された光の一部が、液晶パネル外に配置された例えばプリズム等の部材で反射され、戻り光となって再び液晶パネルに入射するおそれがある。このような戻り光は、液晶パネルを構成する基板上に設けられた各種の配線や素子で再反射して表示光に紛れ込むおそれがある。この結果、配線や素子の像が表示画面に映り込み、表示品質が劣化してしまうおそれがあるという技術的問題点がある。
【０００６】
本発明は、例えば前述した問題点に鑑みなされたものであり、例えば配線や素子での戻り光の再反射を低減でき、高品位な表示を行うことが可能な電気光学装置、及びこのような電気光学装置を備える電子機器を提供することを課題とする。
【課題を解決するための手段】
【０００７】
本発明の電気光学装置は上記課題を解決するために、電気光学物質を挟持する一対の基板と、前記一対の基板のうち入射光が出射される側に配置された一方の基板の前記入射光が出射される側の面に設けられた防塵用基板と、前記一方の基板の前記電気光学物質に対向する面上に表示領域を取り囲むように設けられた反射防止膜と、前記防塵用基板の前記一方の基板に対向する面上に前記表示領域を取り囲むように設けられた遮光膜とを備え、前記反射防止膜の前記表示領域側の縁は、前記遮光膜の前記表示領域側の縁よりも前記表示領域に近い。
【０００８】
本発明の電気光学装置は、例えば液晶等の電気光学物質を挟持する一対の基板を備えている。電気光学装置は、その動作時には表示領域に対して、例えば、白色ランプ等の光源から入射光が入射される。電気光学装置は、例えば表示領域に入射される入射光を画素単位で電気光学物質によって変調することにより表示を実現する。表示領域には、例えば複数の画素がマトリクス状に配置されており、走査信号を供給する走査線及び画像信号を供給するデータ線に夫々電気的に接続されている。各画素は、画像信号の電位に応じて、対向配置された例えば液晶等の電気光学物質の配向状態を制御する。
【０００９】
防塵用基板は、一対の基板のうち入射光が入射される側（即ち、電気光学装置の光入射面側）とは反対側（即ち、電気光学装置の光出射面側、言い換えれば、入射光が出射される側）に配置された一方の基板の電気光学物質に対向する面とは反対側の面（即ち、電気光学物質に対向しない側の面、言い換えれば、入射光が出射される側の面）に設けられている。防塵用基板は、電気光学装置の表面に付着したごみや埃等が、表示画像の品質を低下させてしまうことを防止する機能を有する。なお、防塵用基板は接着剤などを介して一方の基板に貼り合わせられていてもよい。この場合、接着剤は光透過率や熱伝導率の高い材料を用いることが好ましい。
【００１０】
本発明では特に、一方の基板の電気光学物質に対向する面上に例えば遮光性材料からなる反射防止膜が表示領域を取り囲むように設けられるとともに、防塵用基板の一方の基板に対向する面上に遮光膜が表示領域を取り囲むように設けられており、反射防止膜の表示領域側の縁は、遮光膜の表示領域側の縁よりも表示領域に近い。
【００１１】
よって、電気光学装置（より具体的には、電気光学装置の表示領域）から表示光として出射された光の一部が、電気光学装置外に配置された例えばプリズム等の部材で反射され、戻り光となって再び電気光学装置に入射することを、反射防止膜及び遮光膜によって低減できる。
【００１２】
ここで特に、反射防止膜は、一方の基板の電気光学物質に対向する面上に設けられているので、戻り光が、一方の基板上に設けられた各種の配線や素子で再反射することを確実に低減できる。よって、配線や素子の像が表示画面に映り込むことを低減できる。さらに、反射防止膜の表示領域側の縁は、遮光膜の表示領域側の縁よりも表示領域に近いので、一方の基板上に設けられた各種の配線や素子での戻り光の再反射を反射防止膜によって確実に低減できるとともに、出射すべき表示光が遮光膜によって遮られてしまうことを低減或いは防止できる。これらの結果、高品位な表示を行うことが可能になる。
【００１３】
以上説明したように、本発明の電気光学装置によれば、例えば一方の基板上に設けられた配線や素子での戻り光の再反射を低減できる。この結果、高品位な表示を行うことが可能になる。
【００１４】
本発明の電気光学装置の一態様では、前記反射防止膜の前記一方の基板に対向する側の面と、前記遮光膜の前記防塵用基板に対向する側の面とは、反射率が同じである。
【００１５】
この態様によれば、遮光膜の表示領域側の縁に沿って輝度ムラが生じることを低減或いは防止できる。ここで、反射防止膜の一方の基板に対向する側の面の反射率と、遮光膜の防塵用基板に対向する側の面の反射率との差が大きいほど、遮光膜の表示領域側の縁に沿う輝度ムラが顕著に生じてしまうおそれがある。しかるに、この態様では、反射防止膜の一方の基板に対向する側の面と、遮光膜の防塵用基板に対向する側の面とは、反射率が同じであるので、遮光膜の表示領域側の縁に沿う輝度ムラを殆ど或いは実践上は完全に無くすことができる。なお、本発明に係る「反射率が同じ」とは、反射率が文字通り同じである場合だけでなく、反射率が異なることによる輝度ムラが視認されない程度或いは反射率が異なることによる表示上の不具合が認識されない程度に反射率が殆ど同じ場合を含む趣旨である。
【００１６】
本発明の電気光学装置の他の態様では、前記反射防止膜と前記遮光膜とは、同じ材料からなる。
【００１７】
この態様によれば、反射防止膜の一方の基板に対向する側の面の反射率と、遮光膜の防塵用基板に対向する側の面との反射率とを比較的容易に同じにすることができる。よって、遮光膜の表示領域側の縁に沿って輝度ムラが生じることを低減或いは防止できる。
【００１８】
前述した、反射防止膜の一方の基板に対向する側の面と遮光膜の防塵用基板に対向する側の面との反射率が同じである態様では、前記防塵用基板の前記一方の基板に対向する面とは反対側（即ち、入射光が出射される側）の面に対向するように配置され、前記表示領域に対応する開口部が設けられた保持部材を備え、前記保持部材の前記防塵用基板に対向する面とは反対側（即ち、入射光が出射される側）の面は、前記反射防止膜の前記一方の基板に対向する側（即ち、入射光が出射される側）の面、及び前記遮光膜の前記防塵用基板に対向する側（即ち、入射光が出射される側）の面と反射率が同じであってもよい。
【００１９】
この態様によれば、表示領域の周囲において、保持部材と反射防止膜及び遮光膜との反射率が異なることによる例えば保持部材の表示領域側の縁に沿う輝度ムラが生じることを低減或いは防止できる。
【００２０】
本発明の電子機器はは上記課題を解決するために、前述した本発明の電気光学装置（但し、その各種態様も含む）を備える。
【００２１】
本発明の電子機器によれば、前述した本発明の電気光学装置を具備してなるので、高品質な表示を行うことが可能な、投射型表示装置、テレビ、携帯電話、電子手帳、ワードプロセッサー、ビューファインダー型又はモニター直視型のビデオテープレコーダー、ワークステーション、テレビ電話、ＰＯＳ端末、タッチパネルなどの各種電子機器を実現できる。
【００２２】
本発明の作用及び他の利得は次に説明する発明を実施するための形態から明らかにされる。
【図面の簡単な説明】
【００２３】
【図１】第１実施形態に係る液晶装置の概略構成を示す平面図である。
【図２】図１のII−II’線断面図である。
【図３】第１実施形態に係る液晶装置を光出射面側から見た場合の平面図である。
【図４】図２の部分Ｃ１を拡大して示す拡大断面図である。
【図５】第２実施形態に係る液晶装置の分解斜視図である。
【図６】第２実施形態に係る液晶装置の一部を示す、図４と同趣旨の断面図である。
【図７】電気光学装置を適用した電子機器の一例たるプロジェクターの構成を示す平面図である。
【発明を実施するための形態】
【００２４】
以下、図面を参照しながら、本発明の電気光学装置及び電子機器の各実施形態を説明する。以下の実施形態では、本発明の電気光学装置の一例として、液晶プロジェクターにおけるライトバルブとして用いられる液晶装置を挙げる。なお、以下の図では、各層・各部材を図面上で認識可能な程度の大きさとするため、各図ごとに各層・各部材ごとの縮尺を異ならしめて図示することもある。
【００２５】
＜第１実施形態＞
第１実施形態に係る液晶装置について、図１から図４を参照して説明する。
【００２６】
まず、本実施形態に係る液晶装置の全体構成について、図１及び図２を参照して説明する。
【００２７】
図１は、本実施形態に係る液晶装置の概略構成を示す平面図であり、図２は、図１のII−II’線断面図である。
【００２８】
図１及び図２において、本実施形態に係る液晶装置１は、ＴＦＴ（Thin Film Transistor）等のスイッチング素子によって液晶素子を駆動するアクティブマトリクス駆動方式の表示パネルであり、本発明に係る「表示領域」の一例としての画像表示領域ＤＡにおいて画像を表示することが可能に構成されている。
【００２９】
液晶装置１は、互いに対向配置されたＴＦＴアレイ基板１０と対向基板２０とを備えており、ＴＦＴアレイ基板１０と対向基板２０との間に液晶層５０が設けられている。ＴＦＴアレイ基板１０と対向基板２０とは、画像表示領域ＤＡの周囲に位置するシール領域に設けられたシール材５２により相互に接着されている。
【００３０】
図２に示すように、ＴＦＴアレイ基板１０は、例えばガラス基板等からなる透明基板１０ａ上に、例えばＩＴＯ（Indium Tin Oxide）等の透明材料からなる画素電極９や、画素スイッチング用のＴＦＴや走査線、データ線等の配線が例えば層間絶縁膜４１、４２等の絶縁膜を介して積層されてなる。なお、図２では、透明基板１０ａ上に設けられている例えば画素スイッチング用のＴＦＴや走査線、データ線等の配線などについては図示を省略している。透明基板１０ａに設けられた層間絶縁膜４２上における画像表示領域ＤＡには、画素電極９がマトリクス状に設けられている。画素電極９上には、配向膜（図示省略）が形成されている。また、透明基板１０ａ上には、本発明に係る「反射防止膜」の一例としての反射防止膜７１０が、画像表示領域ＤＡを取り囲むように設けられている。反射防止膜７１０の構成及び機能については、後に詳細に説明する。
【００３１】
対向基板２０は、例えばガラス基板等からなる。対向基板２０におけるＴＦＴアレイ基板１０との対向面上の画像表示領域ＤＡには、ＩＴＯ等の透明材料からなる対向電極（図示省略）が複数の画素電極９と対向して例えばベタ状に形成されている。対向電極上には配向膜（図示省略）が形成されている。なお、対向基板２０上の画像表示領域ＤＡには、例えば格子状等にパターニングされた遮光膜（いわゆる「ブラックマトリクス」）が形成されていてもよい。また、対向基板２０のＴＦＴアレイ基板１０との対向面上には、遮光性材料からなる遮光膜７２０が画像表示領域ＤＡを取り囲むように設けられている。遮光膜７２０は、画像表示領域ＤＡの周囲を規定する周辺見切り膜（或いは額縁遮光膜）として機能することができる。
【００３２】
液晶層５０は、例えば一種又は数種類のネマティック液晶を混合した液晶からなり、画素電極９上に設けられた配向膜と対向電極上に設けられた配向膜間で、所定の配向状態をとる。
【００３３】
ＴＦＴアレイ基板１０及び対向基板２０の各々には、互いに対向する側とは反対側に、例えばガラス基板等の透明基板を用いて構成される防塵用基板４１０及び４２０が設けられている。防塵用基板４１０及び４２０によって、ＴＦＴアレイ基板１０及び対向基板２０上に直接に塵埃或いは粉塵が付着するのを防止できると共に、防塵用基板４１０及び４２０上に仮に塵埃が付着したとしても、防塵用基板４１０及び４２０が所定の厚さを有することにより、表示画面上に塵埃の像が投影されるというような事態を未然に回避することができる。防塵用基板４１０は、接着剤によってＴＦＴアレイ基板１０に貼り合わされている。防塵用基板４２０は、接着剤によって対向基板２０に貼り合わされている。
【００３４】
防塵用基板４１０のＴＦＴアレイ基板１０との対向面上には、本発明に係る「遮光膜」の一例としての遮光膜７３０が、画像表示領域ＤＡを取り囲むように設けられている。遮光膜７３０の構成及び機能については、後に詳細に説明する。
【００３５】
防塵用基板４２０の対向基板２０との対向面上には、遮光性材料からなる遮光膜７４０が、画像表示領域ＤＡを取り囲むように設けられている。遮光膜７４０は、前述した遮光膜７２０とともに、画像表示領域ＤＡの周囲を規定する周辺見切り膜として機能することができる。
【００３６】
液晶装置１は、その動作時には、画像表示領域ＤＡに対して、例えば白色ランプ等の光源から入射光が入射される。入射光は、液晶層５０に対して対向基板２０側（即ち、防塵用基板４２０側）から入射され、液晶層５０によって変調されて、液晶層５０に対してＴＦＴアレイ基板１０側（即ち、防塵用基板４１０側）から表示光として出射される。即ち、防塵用基板４２０の対向基板２０に対向しない側の基板面Ｓ１が、入射光が入射される光入射面であり、防塵用基板４１０のＴＦＴアレイ基板１０に対向しない側の基板面Ｓ２が、表示光が出射される光出射面である。なお、以下では、防塵用基板４２０の対向基板２０に対向しない側の基板面Ｓ１を「液晶装置１の光入射面Ｓ１」と適宜称し、防塵用基板４１０のＴＦＴアレイ基板１０に対向しない側の基板面Ｓ２を「液晶装置１の光出射面Ｓ２」と適宜称する。
【００３７】
次に、液晶装置１に特徴的な構成である反射防止膜７１０及び遮光膜７３０について、図２に加えて図３及び図４を参照して説明する。
【００３８】
図３は、液晶装置１を光出射面Ｓ２側から見た場合の平面図である。図４は、図２の部分Ｃ１を拡大して示す拡大断面図である。
【００３９】
図２から図４において、本実施形態では特に、透明基板１０ａの液晶層５０に対向する面Ｓ３上に反射防止膜７０が画像表示領域ＤＡを取り囲むように設けられるとともに、防塵用基板４１０の透明基板１０ａに対向する面Ｓ４上に遮光膜７３０が画像表示領域ＤＡを取り囲むように設けられており、反射防止膜７１０の画像表示領域ＤＡ側の縁７１０ｆは、遮光膜７３０の画像表示領域ＤＡ側の縁７３０ｆよりも画像表示領域ＤＡに近い。反射防止膜７１０及び遮光膜７３０は、いずれも、例えばクロム（Ｃｒ）、チタン（Ｔｉ）、窒化チタン（ＴｉＮ）、タングステン（Ｗ）等の遮光性材料から形成されている。
【００４０】
よって、液晶装置１の光出射面Ｓ２（より具体的には、その画像表示領域ＤＡ）から表示光として出射された光の一部が、液晶装置１外に配置された例えばプリズム等の部材で反射され、戻り光（図２参照）となって再び液晶装置１に入射することを、反射防止膜７１０及び遮光膜７３０によって低減できる。
【００４１】
ここで本実施形態では特に、反射防止膜７１０は、透明基板１０ａの液晶層５０に対向する面Ｓ３上に設けられているので、戻り光が、透明基板１０ａ上に設けられた各種の配線や素子で再反射することを確実に低減できる。よって、配線や素子の像が表示画面に映り込むことを低減できる。さらに、反射防止膜７３０の画像表示領域ＤＡ側の縁７３０ｆは、遮光膜７３０の画像表示領域ＤＡ側の縁７３０ｆよりも画像表示領域ＤＡに近いので、透明基板１０ａ上に設けられた各種の配線や素子での戻り光の再反射を反射防止膜７３０によって確実に低減できるとともに、出射すべき表示光が遮光膜７３０によって遮られてしまうことを低減或いは防止できる。これらの結果、高品位な表示を行うことが可能になる。
【００４２】
なお、図４において、防塵用基板４１０と透明基板１０ａとの間には、防塵用基板４１０と透明基板１０ａとを互いに接着するための接着剤からなる接着層９００が設けられている。
【００４３】
加えて、本実施形態では特に、反射防止膜７１０と遮光膜７３０とは、同じ材料から形成されており、反射防止膜７１０の透明基板１０ａに対向する側の面７１０ｓと、遮光膜７３０の防塵用基板４１０に対向する側の面７３０ｓとは、反射率が同じである。
【００４４】
よって、遮光膜７３０の画像表示領域ＤＡ側の縁７３０ｆに沿って（言い換えれば、液晶装置１を光出射面Ｓ２側から見た場合における遮光膜７３０と反射防止膜７３０との境目或いは境界に沿って）輝度ムラが生じることを低減或いは防止できる。
【００４５】
ここで、仮に何らの対策も施さなければ、反射防止膜７１０の透明基板１０ａに対向する側の面７１０ｓの反射率と、遮光膜７３０の防塵用基板４１０に対向する側の面７３０ｓの反射率との差が大きいほど、遮光膜７３０の画像表示領域ＤＡ側の縁７３０ｆに沿う輝度ムラが顕著に生じてしまうおそれがある。しかるに、本実施形態では、反射防止膜７１０の透明基板１０ａに対向する側の面７１０ｓと、遮光膜７３０の防塵用基板４１０に対向する側の面７３０ｓとは、反射率が同じであるので、遮光膜７３０の画像表示領域ＤＡ側の縁７３０ｆに沿う輝度ムラを殆ど或いは実践上は完全に無くすことができる。なお、反射防止膜７１０の面７１０ｓの反射率と、遮光膜７３０の面７３０ｓの反射率とは、完全に同じであることが好ましいが、反射率が異なることによる輝度ムラが視認されない程度に同じであってもよい。
【００４６】
以上説明したように、本実施形態に係る液晶装置１によれば、例えばＴＦＴアレイ基板１０を構成する透明基板１０ａ上に設けられた配線や素子での戻り光の再反射を低減できる。さらに、遮光膜７３０の画像表示領域ＤＡ側の縁７３０ｆに沿って輝度ムラが生じることを低減或いは防止できる。これらの結果、高品位な表示を行うことが可能になる。
【００４７】
＜第２実施形態＞
第２実施形態に係る液晶装置について、図５及び図６を参照して説明する。
【００４８】
図５は、第２実施形態に係る液晶装置の分解斜視図である。図６は、第２実施形態に係る液晶装置の一部を示す、図４と同趣旨の断面図である。尚、図５及び図６において、図１から図４に示した第１実施形態に係る構成要素と同様の構成要素に同一の参照符合を付し、それらの説明は適宜省略する。
【００４９】
図５及び図６において、第２実施形態に係る液晶装置１ｂは、実装ケース６０１を更に備える点で、前述した第１実施形態に係る液晶装置１と異なり、その他の点については、前述した第１実施形態に係る液晶装置１と概ね同様に構成されている。
【００５０】
図５において、液晶装置１ｂは、液晶パネル５００及び実装ケース６０１を備えている。
【００５１】
液晶パネル５００は、図１から図４を参照して前述した第１実施形態に係る液晶装置と概ね同様に構成されており、ＴＦＴアレイ基板１０上に設けられた外部回路接続端子に、ＦＰＣ（Flexible Printed Circuits）５０１が接続されている。
【００５２】
実装ケース６０１は、液晶パネル５００を収容するフレーム６１０と、フレーム６１０に被さるカバー部材６２０とからなる。フレーム６１０及びカバー部材６２０は、例えばアルミニウム等の金属等からそれぞれ形成されている。尚、フレーム６１０及びカバー部材６２０は、例えば樹脂等からそれぞれ形成されてもよい。
【００５３】
カバー部材６２０は、両側縁のフック６２７をフレーム６１０の側面に形成された爪部６１７に引っ掛けることによって、フレーム６１０と組み合せられている。
【００５４】
液晶パネル５００は、フレーム６１０に防塵用基板４２０側（即ち、対向基板２０側）が面する向きに収容され、防塵用基板４２０側（即ち、ＴＦＴアレイ基板１０側）の外表面をカバー部材６２０で覆われている。即ち、液晶装置１ｂは、フレーム６１０の側から光が入射し、液晶パネル５００を透過して、カバー部材６２０の側から出射するということを前提としている。液晶パネル５００は、その周縁部側からフレーム６１０によって包囲された状態で、該フレーム６１０に接着剤によって接着されることによって固定されて、フレーム６１０内に収容される。尚、このように実装ケース６０１内に収容された状態で、液晶パネル５００における、画像表示領域ＤＡの周辺に位置する周辺領域は、フレーム６１０によって覆われている。このため、フレーム６１０は、当該周辺領域における光抜けを防止し、或いは周辺領域から画像表示領域ＤＡ内に迷光が進入するのを防止する遮光機能を有している。更に、接着剤としては、空気よりも熱伝導性に優れた接着剤が用いられていてもよい。
【００５５】
カバー部材６２０は、本発明に係る「開口部」の一例としての窓部６２５が設けられた額縁状の本体と、本体の両脇に、フック６２７とを備えている。なお、カバー部材６２０の額縁状の本体が、本発明に係る「保持部材」の一例である。窓部６２５は、液晶パネル５００の光出射面Ｓ２（図２参照）における画像表示領域ＤＡから表示光として出射される光を取り出すために、画像表示領域ＤＡと対向するように開口されている。よって、カバー部材６２０は、窓部６２５によって、光が出射される画像表示領域ＤＡの額縁を規定する機能（即ち、「出射側の周辺見切り膜」としての機能）を有している。
【００５６】
図６に示すように、カバー部材６２０の画像表示領域ＤＡ側（言い換えれば、窓部６２５側）の縁６２０ｆは、反射防止膜７１０の画像表示領域ＤＡ側の縁７１０ｆよりも画像表示領域ＤＡから遠い。よって、画像表示領域ＤＡから出射すべき表示光が、カバー部材６２０によって遮られてしまうことを低減或いは防止できる。
【００５７】
図５において、フレーム６１０は、本体部６１３及び爪部６１７から構成されている。
【００５８】
本体部６１３は、液晶パネル５００の形状に合わせ、言わば内側をくり抜かれたように成形された、窓部６１６を備えている。窓部６１６は、収容された液晶パネル５００の画像表示領域ＤＡに光を透過させるために、画像表示領域ＤＡと対向するように開口されている。このため、例えば液晶プロジェクター内の例えば白色ランプ等の光源から発せられた光は、窓部６１６を通過して液晶パネル５００に入射可能となる。
【００５９】
本体部６１３の四隅には、取り付け穴６１５が設けられている。取り付け穴６１５は、当該液晶装置１ｂを、液晶プロジェクター内に取り付けする際に利用される。即ち、液晶装置１ｂ（即ち、実装ケース６０１に収容された液晶パネル５００）は、取り付け穴６１５を貫通するネジを用いて液晶プロジェクターにネジ止めすることにより、液晶プロジェクター内に取り付けられる。
【００６０】
図６において、本実施形態では特に、カバー部材６２０は、例えばクロム（Ｃｒ）、チタン（Ｔｉ）、窒化チタン（ＴｉＮ）、タングステン（Ｗ）等の遮光性材料を含んで構成されており、カバー部材６２０の防塵用基板４１０に対向する面とは反対側の面６２０ｓは、反射防止膜７３０の透明基板１０ａに対向する側の面７１０ｓ、及び遮光膜７３０の防塵用基板４１０に対向する側の面７３０ｓと反射率が同じである。
【００６１】
よって、画像表示領域ＤＡの周囲において、カバー部材６２０と反射防止膜７１０及び遮光膜７３０との反射率が異なることによるカバー部材６２０の画像表示領域ＤＡ側の縁６２０ｆに沿う輝度ムラが生じることを低減或いは防止できる。
【００６２】
ここで、仮に何らの対策も施さなければ、カバー部材６２０の防塵用基板４１０に対向する面とは反対側の面６２０ｓの反射率と、反射防止膜７３０の透明基板１０ａに対向する側の面７１０ｓ、及び遮光膜７３０の防塵用基板４１０に対向する側の面７３０ｓの各々の反射率の差が大きいほど、カバー部材６２０の画像表示領域ＤＡ側の縁６２０ｆに沿う輝度ムラが顕著に生じてしまうおそれがある。しかるに、本実施形態では、カバー部材６２０の防塵用基板４１０に対向する面とは反対側の面６２０ｓと、反射防止膜７３０の透明基板１０ａに対向する側の面７１０ｓと、遮光膜７３０の防塵用基板４１０に対向する側の面７３０ｓとは、反射率が同じであるので、カバー部材６２０の画像表示領域ＤＡ側の縁６２０ｆに沿う輝度ムラ及び遮光膜７３０の画像表示領域ＤＡ側の縁７３０ｆに沿う輝度ムラを殆ど或いは実践上は完全に無くすことができる。なお、カバー部材６２０の面６２０ｓの反射率と、反射防止膜７１０の面７１０ｓの反射率と、遮光膜７３０の面７３０ｓの反射率とは、完全に同じであることが好ましいが、反射率が異なることによる輝度ムラが視認されない程度に同じであってもよい。
【００６３】
＜電子機器＞
次に、前述した電気光学装置である液晶装置を各種の電子機器に適用する場合について説明する。
【００６４】
図７は、プロジェクターの構成例を示す平面図である。以下では、前述した各実施形態に係る液晶装置をライトバルブとして用いたプロジェクターについて説明する。
【００６５】
図７に示されるように、プロジェクター１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００６６】
液晶パネル１１１０Ｒ、１１１０Ｂ及び１１１０Ｇの構成は、前述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００６７】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【００６８】
なお、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルターを設ける必要はない。
【００６９】
なお、図７を参照して説明した電子機器の他にも、モバイル型のパーソナルコンピューターや、携帯電話、液晶テレビや、ビューファインダー型、モニター直視型のビデオテープレコーダー、カーナビゲーション装置、ページャー、電子手帳、電卓、ワードプロセッサー、ワークステーション、テレビ電話、ＰＯＳ端末、タッチパネルを備えた装置等が挙げられる。そして、これらの各種電子機器に適用可能なのは言うまでもない。
【００７０】
本発明は、前述した実施形態に限られるものではなく、特許請求の範囲及び明細書全体から読み取れる発明の要旨或いは思想に反しない範囲で適宜変更可能であり、そのような変更を伴う電気光学装置、及び該電気光学装置を備えてなる電子機器もまた本発明の技術的範囲に含まれるものである。
【符号の説明】
【００７１】
１、１ｂ…液晶装置、１０…ＴＦＴアレイ基板、１０ａ…透明基板、２０…対向基板、５０…液晶層、４１０、４２０…防塵用基板、６０１…実装ケース、６１０…フレーム、６２０…カバー部材、７１０…反射防止膜、７２０、７３０、７４０…遮光膜、ＤＡ…画像表示領域。
【図１】
0005817112.tif 000002
【図２】
0005817112.tif 000003
【図３】
0005817112.tif 000004
【図４】
0005817112.tif 000005
【図５】
0005817112.tif 000006
【図６】
0005817112.tif 000007
【図７】
0005817112.tif 000008